(57)【要約】【課題】本発明はブラケット接合部の構造特性を精度良く求める方法および該構造特性を用いて合理的に骨組構造を設計する方法を提案する。【解決手段】スプライスプレートを介してボルト接合されるブラケット接合部を線材置換モデルとしモデル化し、前記線材置換モデルは、剛棒要素からなる縦材と、降伏しないバネ要素、トラス要素、中央にピンを備えたビーム要素の少なくとも一種の要素を備えたスパンを有し、前記バネ要素は前記ブラケット接合部のボルトを、前記トラス要素はスプライスプレートの軸方向性能を、中央にピンを有するビーム要素はウエブスプライスプレートの曲げ性能をモデル化する。ブラケット接合部を有する骨組構造を設計する際、前記ブラケット接合部を回転バネ要素として骨組構造をモデル化し、前記回転バネ要素は前記構造特性を有する。【選択図】            図５
2004263391.tif 000002
【特許請求の範囲】
【請求項１】
スプライスプレートを介してボルト接合されるブラケット接合部の構造特性を求める際、前記ブラケット接合部は線材置換モデルとしモデル化され、前記線材置換モデルは、剛棒要素からなる縦材と、降伏しないバネ要素、トラス要素、中央にピンを備えたビーム要素の少なくとも一種の要素を備えたスパンを有し、前記バネ要素は前記ブラケット接合部のボルトを、前記トラス要素はスプライスプレートの軸方向性能を、中央にピンを有するビーム要素はウエブスプライスプレートの曲げ性能をモデル化したものであることを特徴とするブラケット接合部の構造特性を求める方法。
【請求項２】
前記バネ要素の剛性を、スプライスプレートを介したボルト接合部の引張試験により求めることを特徴とする請求項１記載のブラケット接合部の構造特性を求める方法。
【請求項３】
ブラケット接合部を有する骨組構造を設計する際、前記ブラケット接合部を回転バネ要素として骨組構造がモデル化され、前記回転バネ要素は請求項１または２記載の方法によって求められた構造特性を有することを特徴とするブラケット接合部を有する骨組構造の設計方法。
【請求項４】
モデル化する骨組構造が鋼構造骨組構造物であることを特徴とする請求項３記載の骨組構造の設計方法。
【請求項５】
請求項３記載の方法により設計された鋼構造骨組構造物。
【発明の詳細な説明】
【０００１】
【発明の属する技術分野】本発明はブラケット接合部の構造特性を求める方法および該ブラケット接合部を有する骨組構造の設計方法に関し、特に骨組構造におけるブラケット接合部を半剛接構造としてモデル化することにより該ブラケット接合部の構造特性を精度良く求める方法および該構造特性を用いて合理的に骨組構造を設計する方法に関する。
【０００２】
【従来の技術】
構造体をモデル化する際、はりの端部は剛接合、ピン接合、半剛接合に大別される。  現実の構造物では完全な剛接合、ピン接合の実現は困難であるにもかかわらず、その設計において半剛接は剛接合またはピン接合に仮定されることが多く、はりの端部を半剛接構造として扱うことは力学的挙動などの検討程度に留まっていた（例えば非特許文献１参照）。図７は曲げモーメントー相対回転角関係曲線図の一例を示し、半剛接の一部は剛接合、ピン接合とされている。
【０００３】
はりの端部として図１に示すように柱に接合されたブラケットに、梁をスプライスプレートを介してボルト接合したブラケット接合部等が用いられることが多い。
【０００４】
柱梁接合部１００において、ブラケット接合部１０５は柱１０３に取りつけたブラケット１０２と梁１０１をスプライスプレート１０４を介してボルト接合して形成される。
【０００５】
【非特許文献１】日本建築学会学術講演概要集１９９５年８月２２２５１鋼構造柱梁半剛接部の力学的挙動に関する基礎的研究  下田  和秋等
なお、［発明の実施の形態］の項目において、本出願人の未公開先行出願について説明するが、その出願番号をここに記載しておく。すなわち特願２００２−２３６１８３号（未公開出願１）である。
【０００６】
【発明が解決しようとする課題】
しかし、構造体として信頼性を保ちつつ、より経済的に製作、建設するため、には、はりの端部における構造特性を正確に求めることが必要で、本発明はブラケット接合部における、構造特性、特に剛性および降伏強度を定量的に求める方法および得られた構造特性を用い骨組構造物を合理的に設計する方法を提案する。
【０００７】
【課題を解決するための手段】
本発明者はまず、ブラケット接合部の構成要素を適切にモデル化し構造性能を求め、次に骨組構造を、ブラケット接合部を回転バネ要素としてモデル化し、設計する方法を開発した。
【０００８】
すなわち、本発明は、
１．スプライスプレートを介してボルト接合されるブラケット接合部の構造特性を求める際、前記ブラケット接合部は線材置換モデルとしモデル化され、前記線材置換モデルは、剛棒要素からなる縦材と、降伏しないバネ要素、トラス要素、中央にピンを備えたビーム要素の少なくとも一種の要素を備えたスパンを有し、前記バネ要素は前記ブラケット接合部のボルトを、前記トラス要素はスプライスプレートの軸方向性能を、中央にピンを有するビーム要素はウエブスプライスプレートの曲げ性能をモデル化したものであることを特徴とするブラケット接合部の構造特性を求める方法。
２．前記バネ要素の剛性を、スプライスプレートを介したボルト接合部の引張試験により求めることを特徴とする１記載のブラケット接合部の構造特性を求める方法。
３．ブラケット接合部を有する骨組構造を設計する際、前記ブラケット接合部を回転バネ要素として骨組構造がモデル化され、前記回転バネ要素は１または２記載の方法によって求められた構造特性を有することを特徴とするブラケット接合部を有する骨組構造の設計方法。
４．モデル化する骨組構造が鋼構造骨組構造物であることを特徴とする３記載の骨組構造の設計方法。
５．３記載の方法により設計された鋼構造骨組構造物。
【０００９】
【発明の実施の形態】
本出願人は、Ｈ形鋼柱の弱軸側にブラケットを取りつけ、スプライスプレートを介してＨ形鋼からなる梁をボルト接合する際、ブラケットと梁の下側フランジ部のボルト接合を省略し、製作コストを低減させたブラケット接合部に関する未公開技術を開発している（未公開出願１）。
【００１０】
図２は未公開出願１に係るブラケット接合部１０５の構造の一例を示し、図２（ａ）は上面図、（ｂ）はＡ方向、（ｃ）はＢ方向からの正面図を示す。  柱に取りつけられたブラケット１０２と梁１０１はスプライスプレート１０４を介してボルト接合されるが、Ｈ形鋼からなる梁とブラケットの下フランジ同士のボルト接合は省略され、半剛接構造となっている。
【００１１】
以下、半剛接構造のブラケット接合部を用いる骨組構造物を対象に本発明を図面を用いて詳細に説明する。
【００１２】
本発明ではまず、骨組構造物の柱梁構造における半剛接構造ブラケット接合部の剛性、および降伏強度を求める。図３に半剛接構造のブラケット接合部を有する柱梁構造を、図４にモデル化された柱梁構造を示す。図３、４において１は柱、２はブラケット、３は梁、４は半剛接構造のブラケット接合部を示す。
【００１３】
モデル化においては、柱１、ブラケット２、梁３をビーム要素とし、半剛接構造のブラケット接合部４を部分骨組とする。
【００１４】
半剛接構造のブラケット接合部４の剛性および降伏強度は、図４に示すモデル化された柱梁構造において、梁３の先端に漸増する荷重を作用させ弾塑性骨組構造解析を行い得られた曲げモーメントー相対回転角関係曲線図から求める。
【００１５】
次に、半剛接構造のブラケット接合部を、回転バネ要素として、骨組構造物をモデル化し、構造設計を行う。回転バネ要素の剛性および降伏強度は上述した値を用いる。図８はモデル化した骨組構造物１９を示し、図において１８は半剛接構造のブラケット接合部をモデル化した回転バネ要素である。
【００１６】
本発明では半剛接構造ブラケット接合部の剛性、および降伏強度を求める際、部分骨組にモデル化することが特徴であり、以下に詳述する。
【００１７】
図５は半剛接構造のブラケット接合部をモデル化した部分骨組を示すもので、図において、４はブラケット接合部、５はウエブスプライスプレート、６はボルト、７はビーム要素、８は剛棒要素、９はピン、１０はトラス要素、１１はバネ要素、１２は剛接部を示す。１３は中央にピン９を持ち、剛棒要素８と剛接部１２を有するビーム要素でウエブスプライスプレートの曲げ性能をモデル化した部分を示す。
【００１８】
本発明では、部分骨組にモデル化する際、ブラケット接合部４のボルト列に対応する層数を有する１スパン多層の線材置換モデルとし、ブラケット接合部４におけるボルト６を降伏しないバネ要素（図では２本のボルトを一つのバネ要素とする）、スプライスプレートの軸方向性能（軸方向力による軸方向剛性および強度）をトラス要素１０とし、軸方向変形をモデル化した。更にせん断力によるせん断変形をモデル化するため、ウエブスプライスプレート全体のせん断変形として、スプライスプレートの材軸方向の重心に、中央にピン９を持つビーム要素７を構成する。
【００１９】
ボルトをバネ要素とする際、単一の剛性をボルト接合部引張試験を行って求める。弾性体と仮定し、同じ高さに複数のボルトがある場合、バネ要素の剛性は各ボルトの剛性の和として求める。図６にボルト接合部引張試験に用いる試験体を示す。図において１４はブラケットのフランジまたはウエブ、１５はスプライスプレート、１６はボルト孔、１７は梁のフランジまたはウエブを示す。
【００２０】
スプライスプレートの軸方向性能をトラス要素とする際、剛性をヤング係数より定める。局部座屈を考慮して、降伏強度は等価な値として公称降伏強度の１／２とする。
【００２１】
ウエブスプライスプレートの曲げ性能を、中央にピンを持つビーム要素とする際、剛性をヤング係数より定め、弾性体とする。
【００２２】
また、部分骨組においては、各要素中心線と梁中心線とを剛性および降伏強度無限大の剛棒要素で連結させる。
【００２３】
【実施例】
半剛接構造のブラケット接合部を有する鋼構造骨組構造物を対象に本発明を具体的に説明する。図９は半剛接構造のブラケット接合部４を示し、ブラケット２に梁３がウエブスプライスプレート５を介してボルト接合されている。ブラケット接合部４の上部フランジはスプライスプレート５ａ，５ｂ，５ｃを介してボルト接合されている。
【００２４】
図１０はブラケット接合部４をモデル化した部分骨組で、１３はウエブスプライスプレートの曲げ性能を示すためにモデル化されたビーム要素を示す。
【００２５】
まず、モデル化した部分骨組の構造特性として剛性および降伏強度を求める。この際、バネ剛性をＫ＝２×３０６ｔｏｎｆ／ｃｍ（弾性体）、スプライスプレート引張性能はその有効面積をボルトの有効面積×板厚合計としσｙ＝２．４／２＝１．２ｔｏｎｆ／ｃｍ２（軟鋼の局部座屈を考慮した等価降伏強度）、ウエブスプライスプレート曲げ性能は２ＰＬ−９×３８０のＡ＝６８．４ｃｍ２，Ｉ＝８２３１ｃｍ４（弾性体）とする。
【００２６】
図１１に構造解析の結果得られた曲げモーメントー相対回転角関係曲線図を、図１２に別途、ブラケット接合部について行った実験で得られた曲げモーメントー相対回転角関係曲線図を示す。
【００２７】
図１１より剛性は４５２８１ｔｏｎｆｍ／ｒａｄ，降伏強度は１９．２４ｔｏｎｆｍとなり、図１１、１２の比較から、上記の値が、安全側に構造特性を評価するものであることが確認される。
【００２８】
次に、鋼構造骨組構造物を、半剛接構造のブラケット接合部を回転バネ要素としてモデル化し、構造設計を行う。この際、回転バネ要素の剛性、降伏強度として図１１で得られた値を用いる。図１３にモデル化された鋼構造骨組構造物を示す。
【００２９】
【発明の効果】
本発明によれば、骨組構造における半剛接の構造特性が精度良く求まるので、骨組構造を合理的に構造設計することが可能で、信頼性を保ちつつ経済性に優れた骨組構造の製作が可能となる。また、構造特性を求める際、費用の係る実体構造モデルによる実験などを要せず経済的である。
【図面の簡単な説明】
【図１】ブラケット接合部の一例を示す外観図で、（ａ）は側面図、（ｂ）は正面図。
【図２】半剛接構造のブラケット接合部の外観図で、（ａ）は上面図、（ｂ）はＢ方向からの外観図、（ｃ）はＡ方向からの外観図。
【図３】本発明の説明に用いる半剛接構造のブラケット接合部を有する柱梁接合部の外観を示す図。
【図４】図３をモデル化した図。
【図５】モデル化された半剛接構造のブラケット接合部を示す図。
【図６】バネ要素の剛性を求める際の引張試験に用いるボルト接合部を示す図。
【図７】曲げモーメントー相対回転角関係曲線図の一例を示す図。
【図８】ブラケット接合部を回転バネ要素としてモデル化された骨組構造を示す図。
【図９】ブラケット接合部（実施例）の外観を示す図。
【図１０】モデル化されたブラケット接合部（実施例）を示す図。
【図１１】モデル解析により得られた曲げモーメントー相対回転角関係曲線を示す図。
【図１２】モデル実験により得られた曲げモーメントー相対回転角関係曲線を示す図。
【図１３】ブラケット接合部を回転バネ要素としてモデル化された骨組構造（実施例）を示す図。
【符号の説明】
１      柱
２      ブラケット
３      梁
４      半剛接構造のブラケット接合部
５      ウエブスプライスプレート
５ａ，５ｂ，５ｃ  フランジスプライスプレート
６      ボルト
７      ビーム要素
８      剛棒要素
９      ピン
１０    トラス要素
１１    バネ要素
１２    剛接部
１３    ウエブスプレイスプレートの曲げ性能をモデル化した部分
１４    ブラケットのフランジまたはウエブ
１５    ウエブスプライスプレート
１６    ボルト孔
１７    梁のフランジまたはウエブ
１００  梁接合部
１０１  梁
１０２  ブラケット
１０３  柱
１０４  スプライスプレート
１０５  ブラケット接合部
【図１】
2004263391.tif 000003
【図２】
2004263391.tif 000004
【図３】
2004263391.tif 000005
【図４】
2004263391.tif 000006
【図５】
2004263391.tif 000007
【図６】
2004263391.tif 000008
【図７】
2004263391.tif 000009
【図８】
2004263391.tif 000010
【図９】
2004263391.tif 000011
【図１０】
2004263391.tif 000012
【図１１】
2004263391.tif 000013
【図１２】
2004263391.tif 000014
【図１３】
2004263391.tif 000015